(57)【要約】【課題】  レンタルコンピュータを交換する際のＯＳやソフトウエアを交換後のコンピュータに移行するための手段をレンタルコンピュータと共に提供することで、移行にかかる手間を削減する。【解決手段】  交換前のレンタルコンピュータ１００ａが、ＯＳ環境１０５ａに仮想的なハードウエア環境を提供する仮想マシンソフト１０１ａと、ＯＳ環境１０５ａの格納／復元を実施するエージェントプログラム１０２ａとを備え、交換後のレンタルコンピュータ１００ｂも同様に仮想マシンソフト１０１ｂとエージェントソフト１０２ｂを備え、管理サーバ１１０が、ＯＳ環境を格納するための記憶領域１１３を提供する。【選択図】  図３
2005234884.tif 000002
【特許請求の範囲】
【請求項１】
レンタルサービス利用者に提供されるレンタルコンピュータと、レンタルサービス提供者が管理する管理サーバとがネットワークにより相互に接続されたコンピュータレンタルシステムであって、
前記レンタルコンピュータは、レンタルそのコンピュータ上で動作するオペレーティングシステムおよび／またはソフトウエアに対して仮想的なハードウエア環境を提供するハードウエア仮想化手段と、
前記ハードウエア仮想化手段上で動作する前記オペレーティングシステムおよび／またはソフトウエアおよびそれらの実行環境情報を前記管理サーバに格納し、また前記管理サーバから前記オペレーティングシステムおよび／またはソフトウエアおよびそれらの実行環境情報を復元するＯＳ環境格納復元手段と、
を備え、
前記管理サーバは、前記レンタルコンピュータから前記オペレーティングシステムおよび／またはソフトウエアおよびそれらの実行環境情報の格納要求および復元要求を受け付ける要求受付手段と、
前記オペレーティングシステムおよび／またはソフトウエアおよびそれらの実行環境情報を格納するＯＳ環境記憶手段と、
を備えることを特徴とするコンピュータレンタルシステム。
【請求項２】
前記ＯＳ環境格納復元手段は、前記要求受付手段に対して前記オペレーティングシステムおよび／またはソフトウエアおよびそれらの実行環境情報の格納要求もしくは前記オペレーティングシステムおよび／またはソフトウエアおよびそれらの実行環境情報の復旧要求を送信し、
前記要求受付手段は、前記ＯＳ環境格納復元手段から受信した前記オペレーティングシステムおよび／またはソフトウエアおよびそれらの実行環境情報の格納要求または前記オペレーティングシステムおよび／またはソフトウエアおよびそれらの実行環境情報の復元要求とレンタルサービス利用者に関する情報を格納するレンタル情報記憶手段のレンタルサービス利用者情報とを参照して要求に対する許可または不許可を判断し、その結果情報を前記ＯＳ環境格納復元手段に対して送信し、
前記ＯＳ環境格納復元手段は、前記要求受付手段から受信した結果情報が許可情報である場合には、前記ＯＳ環境記憶手段内のＯＳ環境格納領域に対して前記オペレーティングシステムおよび／またはソフトウエアおよびそれらの実行環境情報の格納または復元を行うことを特徴とする請求項１記載のコンピュータレンタルシステム。
【請求項３】
前記レンタルコンピュータは、前記レンタルサービス提供者が提供する前記オペレーティングシステムをさらに備えることを特徴とする請求項１または２記載のコンピュータレンタルシステム。
【請求項４】
前記レンタルコンピュータは、前記レンタルサービス提供者が提供する前記ソフトウエアをさらに備えることを特徴とする請求項１から３のいずれか１項に記載のコンピュータレンタルシステム。
【請求項５】
前記レンタル情報記憶手段は、前記管理サーバとは別装置であるデータベースサーバに備えられ、
前記ＯＳ環境記憶手段は、前記管理サーバとは別装置である外部記憶装置に備えられ、
前記管理サーバと、前記データベースサーバと、前記外部記憶装置とがそれぞれネットワークで接続されていることを特徴とする請求項１から４のいずれか１項に記載のコンピュータレンタルシステム。
【請求項６】
レンタルサービス利用者が使用しているオペレーティングシステムおよび／またはソフトウエアおよびそれらの実行環境を交換後のレンタルコンピュータへ移行するレンタルコンピュータ交換方法であって、
前記レンタルコンピュータ上で動作させる前記オペレーティングシステムおよび／またはソフトウエアに対して仮想的なハードウエア環境を提供するハードウエア仮想化ステップと、
前記オペレーティングシステムおよび／またはソフトウエアおよびそれらの実行環境情報を外部記憶領域に格納するＯＳ環境格納ステップと、
前記レンタルコンピュータを交換した後に、前記外部記憶装置に格納する前記オペレーティングシステムおよび／またはソフトウエアおよびそれらの実行環境情報を復旧するＯＳ環境復旧ステップと、
を有することを特徴とするレンタルコンピュータ交換方法。
【請求項７】
さらに、前記オペレーティングシステムおよび／またはソフトウエアおよびそれらの実行環境情報の格納または復旧に際して、前記レンタルコンピュータから前記外部記憶装置への接続要求を許可するか否かを判断しその結果を返す要求受付ステップを有することを特徴とする請求項６記載のレンタルコンピュータ交換方法。
【発明の詳細な説明】
【技術分野】
【０００１】
本発明は、レンタル契約中もしくは契約更新時にコンピュータを交換するようなコンピュータレンタルシステムおよびレンタルコンピュータの交換方法に関する。
【背景技術】
【０００２】
従来、サーバやパーソナルコンピュータ等のハードウエアとしてのコンピュータ機器を利用者にレンタルするサービスについて、一般には、コンピュータのみをレンタルするサービスや、オペレーティングシステム（以下、「ＯＳ」という。）やソフトウエアをコンピュータにインストールした状態でレンタルするサービスがあった。
【０００３】
ここで、サービス提供者のサーバに予めサービス利用者ごとに割り振られた記憶領域を設け、サービス利用者がその領域に対してドキュメントデータの登録および更新を行うことにより、主要駅やホテルでパーソナルコンピュータをレンタルして、ネットワーク上のサービス提供者サーバにアクセスし、サービス利用者が移動中または出張中でもドキュメントデータの登録および更新を行うことができ、ビジネスワークの時間的ロスを解消する技術が提案されている（例えば、特許文献１参照）。
【特許文献１】特開２００２−２０７９４４号公報
【発明の開示】
【発明が解決しようとする課題】
【０００４】
しかしながら、上述した従来例においては次のような問題点があった。
【０００５】
故障や老朽化等に起因して、コンピュータを交換しなければならない場合には、交換前のコンピュータ上で動作していたＯＳとそのＯＳ上で動作するソフトウエア（以下、ＯＳとそのＯＳ上で動作するソフトウエアおよびその動作環境を、総称して、「ＯＳ環境」という。）を交換後のコンピュータに移行する必要があるが、そのためにはＯＳ環境の再インストール、設定内容の移行およびデータの移行等の何段階もの作業を実施しなければならなかった。
【０００６】
一方、ＯＳやソフトウエアが予めインストールされたレンタルコンピュータであれば、上記の再インストール作業が不要になるが、なお設定内容やデータの移行は必要であるため、相応の労力、費用および時間等がかかっていた。
【０００７】
ここで、ＯＳ環境の移行について、バックアップソフト等を使用して移行作業を簡易化するという方法もあるが、その場合には、一般に、交換前と交換後でコンピュータのハードウエア構成がまったく同じでなければ、ＯＳ環境を移行できないため、特に、購入してから長期間経過した後にコンピュータを交換する場合には、旧式のハードウエアが市場に流通していなく入手が困難となり、同じハードウエアを準備することができないという問題を生ずるおそれがある。
【０００８】
レンタルコンピュータの交換時には、上記のいずれの場合であっても、ＯＳ環境の移行に手間がかかるという問題点があった。
【０００９】
そこで、本発明は、レンタルしているコンピュータを交換する時に、交換前のコンピュータ上で動作しているＯＳ環境を交換後のレンタルコンピュータへ手間をかけずに移行することができるコンピュータレンタルシステムおよびレンタルコンピュータ交換方法を提供することを目的とする。
【課題を解決するための手段】
【００１０】
本発明のコンピュータレンタルシステムは、サービス利用者に貸し出されるレンタルコンピュータと、そのコンピュータとネットワークを介して接続されている管理サーバと、同じくそのコンピュータとネットワークを介して接続されている記憶領域を備えるコンピュータレンタルシステムであって、レンタルコンピュータが仮想マシンソフトとエージェントプログラムを有し、仮想マシンソフト上にインストールされたＯＳ環境について、外部の記憶領域に対する格納や復元をエージェントプログラムにて行うようにしたことを特徴とする。
【００１１】
このようにシステムを構成することにより、レンタルコンピュータの交換時に、レンタルコンピュータ上で使用していたＯＳ環境を、コンピュータ交換前に外部の記憶領域へ一旦格納しておいて、交換後に復元することができ、かつ、ＯＳ環境を仮想マシンソフト上で動作させることで、交換前と交換後のコンピュータのハードウエア構成が異なる場合でも、ＯＳ環境がそのまま動作することになり、本発明の目的を達成することができる。
【００１２】
本発明のレンタルコンピュータ交換方法は、サービス利用者に貸し出されるレンタルコンピュータと、そのコンピュータとネットワークを介して接続されている管理サーバと、同じくそのコンピュータとネットワークを介して接続されている記憶領域を利用したレンタルコンピュータ交換方法であって、レンタルコンピュータが仮想マシンソフトとエージェントプログラムを有し、仮想マシンソフト上にインストールされたＯＳ環境について、外部の記憶領域に対する格納や復元をエージェントプログラムにて行うようにしたことを特徴とする。
【発明の効果】
【００１３】
レンタルコンピュータに仮想マシンソフトを搭載し、その仮想マシンソフト上でＯＳやソフトウエアを動作させることで、ＯＳ環境をデータとしてそのまま移設しても、移設先のコンピュータにおいて直ちにＯＳ環境を動かすことができ、また、ＯＳ環境の格納／復元をネットワーク経由で実現することができる機能をレンタルコンピュータと併せて提供することにより、従来必要だったＯＳないしはソフトウエアの再インストールや各種設定の復元およびデータの復旧等の作業が不要となり、レンタルコンピュータの交換時に、ＯＳ環境の移行に必要な作業を大幅に削減することができる。
【００１４】
また、仮想的なハードウエア環境を作り出す仮想マシンソフトが、コンピュータのハードウエア環境の違いを吸収するため、コンピュータ交換の前後でハードウエアの構成が異なる場合でも、ＯＳやソフトウエアに一切手をつけることなく移行することができる。
【発明を実施するための最良の形態】
【００１５】
図１を参照すると、レンタルコンピュータ１００と管理サーバ１１０とから構成されている。これらのレンタルコンピュータ１００および管理サーバ１１０は、プログラム制御により動作し、インターネット等のネットワーク１２０を介して相互に接続されている。
【００１６】
レンタルコンピュータ１００は、レンタルサービス利用者に貸し出される、例えばワークステーション、パーソナルコンピュータまたは携帯電話等の情報処理装置である。このレンタルコンピュータ１００は、仮想マシンソフト１０１およびエージェントプログラム１０２を含む。
【００１７】
仮想マシンソフト１０１は、ＶＭｗａｒｅ．Ｉｎｃの製品である、ＶＭｗａｒｅ（登録商標）またはＥＳＸ  Ｓｅｒｖｅｒ（登録商標）に代表されるような、仮想的なハードウエア環境を提供するソフトウエアであり、ＯＳ環境１０５をその仮想的なハードウエア環境上で動作させることができ、かつ、そのＯＳ環境１０５を同じ仮想マシンソフトが動作する別のコンピュータに複製（コピー）することで、別のコンピュータ上でも同じＯＳ環境１０５を動作させることができる。
【００１８】
エージェントプログラム１０２は、ネットワーク１２０を介して、管理サーバ１１０に対して管理サーバ１１０上の記憶領域１１３への接続要求を行い、認証処理およびレンタルコンピュータ１００上のデータの格納／復元を行う。なお、ここではレンタルコンピュータ１００をレンタルサービス利用者が実際に使用する場合には、その利用者が別途調達したＯＳ１０３およびソフトウエア１０４をレンタルコンピュータ１００にインストールして使用することとする。
【００１９】
管理サーバ１１０は、ワークステーション等の情報処理装置であり、受付プログラム１１１、レンタル情報データベース１１２および記憶領域１１３を含む。
【００２０】
受付プログラム１１１は、レンタルコンピュータ１００のエージェントプログラム１０２との間で通信を行い、レンタルコンピュータ１００の判別や記憶領域１１３の利用許可を行う。
【００２１】
レンタル情報データベース１１２は、複数のレンタル情報１１４を格納している。
【００２２】
記憶領域１１３は、レンタルコンピュータ１００上で動作するＯＳ環境１０５を格納している。なお、ＯＳ環境１０５は記憶領域１１３上ではデータとして格納されるため、記憶領域１１３上ではＯＳ環境１０５は動作しない。
【００２３】
また、図３は、図１の構成に基づいて、レンタルコンピュータ１００ａをレンタルコンピュータ１００ｂに交換する場合における構成図である。なお、図３のレンタルコンピュータ１００ａとレンタルコンピュータ１００ｂが、図１におけるレンタルコンピュータ１００に相当する。
【００２４】
次に、図１および図２のフローチャートを参照して全体の動作について説明する。
【００２５】
前提として、レンタルサービス利用者は、別途調達したＯＳ１０３やソフトウエア１０４をレンタルコンピュータ１００内の仮想マシンソフト１０１上にインストールし、ＯＳ環境１０５として使用することになる。そして、レンタルコンピュータ１００の交換やＯＳ環境をバックアップする等の必要に応じて、管理サーバ１１０上の記憶領域１１３に対してＯＳ環境１０５の格納／復元を行う。
【００２６】
まず、レンタルコンピュータ１００上のエージェントプログラム１０２から管理サーバ１１０上の受付プログラム１１１に対して、記憶領域１１３への接続要求を行う（ステップＡ１）。
【００２７】
次に、受付プログラム１１１は、エージェントプログラム１０２から受け取った情報やレンタル情報データベース１１２内のレンタル情報１１４等を参照して、接続要求に対する許可／不許可を判断し、エージェントプログラム１０２に結果を返す（ステップＡ２）。
【００２８】
受付プログラム１１１による判断が不許可の場合には、そのまま処理を終了し（ステップＡ３）、許可の場合には、エージェントプログラム１０２が実際に記憶領域１１３に接続される（ステップＡ４）。
【００２９】
以後の処理は、ＯＳ環境の“格納”の場合と“復元”の場合とで、処理が分岐する（ステップＡ５）。ＯＳ環境の“格納”の場合には、レンタルコンピュータ１００上のＯＳ環境１０５を、ＯＳ環境情報１１７として記憶領域１１３へ格納し（ステップＡ６）、ＯＳ環境の“復元”の場合には、記憶領域１１３上のＯＳ環境情報１１７をレンタルコンピュータ１００上のＯＳ環境１０５として復元する（ステップＡ７）。ここでＯＳ環境情報１１７には、ＯＳ情報１１５およびソフトウエア情報１１６が含まれていてもよい。
【００３０】
次に、図３及び図４のフローチャートを参照して、レンタルコンピュータ１００を実際に交換する場合における動作について詳細に説明する。
【００３１】
まず、交換前のレンタルコンピュータ１００ａ上のエージェントプログラム１０２ａから管理サーバ１１０上の受付プログラム１１１に対して、記憶領域１１３への接続要求を行う（ステップＢ１）。
【００３２】
次に、受付プログラム１１１が許可／不許可を判断して（ステップＢ２）、不許可の場合には、そのまま処理を終了し（ステップＢ３）、許可の場合には、実際にＯＳ環境１０５ａを管理サーバ１１０上の記憶領域１１３に、ＯＳ環境情報１１７として格納する（ステップＢ４）。
【００３３】
ＯＳ環境１０５ａが記憶領域１１３に格納された後、レンタルコンピュータ１００ａからレンタルコンピュータ１００ｂに交換される（ステップＢ５）。
【００３４】
そして、交換後のレンタルコンピュータ１００ｂのネットワーク設定をする（ステップＢ６）。このネットワーク設定については、手作業で行っても良いが、ＤＨＣＰ（Dynamic Host Configuration Protocol ）等を使用して自動的に行うこととすると、作業の手間や時間を減らすことができる。
【００３５】
最後に、レンタルコンピュータ１００ｂ上のエージェントプログラム１０２ｂから管理サーバ１１０上の受付プログラム１１１に対して、記憶領域１１３への接続要求を行い（ステップＢ７）、受付プログラム１１１が許可／不許可を判断して（ステップＢ８）、不許可の場合には、そのまま処理を終了し（ステップＢ９）、許可の場合には、管理サーバ１１０上の記憶領域１１３に格納されているＯＳ環境情報１１７を、レンタルコンピュータ１００ｂ上にＯＳ環境１０５ｂとして復元する（ステップＢ１０）。このとき、ＯＳ環境１０５ｂは、仮想マシンソフト１０１ｂ上で動作するため、何も手を加えることなく、レンタルコンピュータ１００ａ上で動作していた時と同じ動作を直ちに実施できる。
【００３６】
なお、レンタルコンピュータ１００の故障による交換を想定した場合には、故障後にはステップＢ１〜Ｂ４を実施できないことになるが、レンタルコンピュータ１００を交換しないときも、設定により定期的にステップＢ１〜Ｂ４を実施することとしておけば、最後に格納したＯＳ環境情報１１７の状態まで復旧させることができる。
【実施例１】
【００３７】
本発明の第一の実施例の構成・動作を図を用いて説明する。
【００３８】
図８は、図１におけるエージェントプログラム１０２およびレンタル情報１１４について、その内部構造の例を示した図である。
【００３９】
エージェントプログラム１０２は、接続要求部１３１と、格納／復元処理部１３２と、コンピュータ識別子１３３と、ユーザ識別子１３４とを含む。
【００４０】
接続要求部１３１は、管理サーバ１１０内の受付プログラム１１１に対して管理サーバ１１０内の記憶領域１１３への接続要求を行う。格納／復元処理部１３２は、記憶領域１１３に接続し、ＯＳ環境の格納や復元の処理を行う。コンピュータ識別子１３３は、レンタルコンピュータを一意に識別するための情報である。ユーザ識別子１３４は、レンタル利用者を一意に識別するための情報である。コンピュータ識別子１３３とユーザ識別子１３４は、管理サーバ１１０とのＯＳ環境格納／復元の許可依頼処理において必要とする情報であるが、ユーザ識別子１３４に関しては、エージェントプログラム１０２にて保持しなく、認証処理実行時に利用者が入力する形態であってもよい。
【００４１】
レンタル情報１１４は、コンピュータ識別子１４１と、ユーザ情報１４２と、記憶領域情報１４５とを含む。
【００４２】
コンピュータ識別子１４１は、レンタルコンピュータを一意に識別するための情報である。ユーザ情報１４２は、ユーザ識別子１４３と契約情報１４４とを含み、ユーザ識別子１４３は、レンタルサービス利用者を一意に識別するための情報であり、契約情報１４４は、利用者名、レンタル開始日、レンタル終了日または支払状況等のレンタルサービス利用者の情報やレンタル契約に関する情報をまとめたものである。記憶領域情報１４５は、レンタルコンピュータ１００ごとに割り当てられた記憶領域に対してアクセスするために必要な格納場所等の情報をまとめたものである。
【００４３】
次に、図８および図９のフローチャートを参照して、ＯＳ環境の格納／復元の動作（図２のフォローチャートにおけるステップＡ１〜Ａ４）について、詳細に説明する。
【００４４】
まず、レンタルコンピュータ１００上のエージェントプログラム１０２における接続要求部１３１から、管理サーバ１１０の受付プログラム１１１に対して、ＯＳ環境を格納する記憶領域１１３への接続要求を行う（ステップＣ１）。このとき、接続要求部１３１は、受付プログラム１１１に対してコンピュータ識別子１３３とユーザ識別子１３４を通知する。
【００４５】
そして、受付プログラム１１１は、受け取ったコンピュータ識別子１３３とユーザ識別子１３４に基づいて、レンタル情報１１４内のコンピュータ識別子１４１およびユーザ識別子１４３と一致するか否かを照合する（ステップＣ２、Ｃ３）。もし共に一致するレンタル情報１１４が存在しない場合には、受付プログラム１１１は接続要求部１３１に対して不許可通知を送信し、受け取った接続要求部１３１は処理を終了する（ステップＣ４）。
【００４６】
一方、コンピュータ識別子１４１とユーザ識別子１４３が共に一致するレンタル情報１１４が存在する場合には、受付プログラム１１１は、続いてレンタル情報１１４内の契約情報１４４に記載されてある、レンタル契約期日や料金支払状況等の各種情報を参照し、記憶領域１１３への接続許可／不許可を判断する（ステップＣ５、Ｃ６）。受付プログラム１１１が不許可と判断する場合には、受付プログラム１１１から接続要求部１３１に対して不許可通知を送信し、受け取った接続要求部１３１は処理を終了する（ステップＣ７）。一方、受付プログラム１１１が許可と判断する場合には、そのレンタル情報１１４に含まれる記憶領域情報１４５を接続要求部１３１に送信する（ステップＣ８）。
【００４７】
記憶領域情報１４５を受け取った接続要求部１３１は、その情報を格納／復元処理部１３２に渡し、ＯＳ環境の格納／復元を指示し（ステップＣ９）、実際にＯＳ環境の格納／復元が行われる。
【００４８】
上記実施例によれば、仮想マシンソフト上でＯＳ環境を動作させるというように構成され、さらに、ＯＳ環境の格納／復元という作業だけでＯＳ環境を移行できるように構成されているため、レンタルコンピュータの交換時に、ＯＳ環境の移行に必要な作業量と時間を大幅に削減できる。また、仮想マシンソフトがＯＳに対して仮想的なハードウエア環境を提供することで、コンピュータのハードウエア環境が異なっていても、ＯＳからは同じハードウエア環境として扱えるように構成されているため、レンタルコンピュータの交換前後で、ハードウエア環境が異なっていたとしても、ＯＳやソフトウエアに手をつけることなくＯＳ環境を移行することができる。
【実施例２】
【００４９】
本発明の第二の実施例の構成を以下に説明する。
【００５０】
図５を参照すると、レンタルサービス提供者がＯＳ１０３を予めレンタルコンピュータ１００にインストールした状態でコレンタルコンピュータ１００をレンタルする点で、第一の実施例と異なる。
【００５１】
本実施例の全体の動作は、第一の実施例と同様である。
【００５２】
上記実施例によれば、ＯＳを予めレンタルコンピュータにインストールした状態でレンタルされた場合であっても、ソフトウエアの再インストールや各種設定の復元およびデータの復旧等の作業が不要となり、レンタルコンピュータの交換時に、ＯＳ環境の移行に必要な作業を大幅に削減することができる
【実施例３】
【００５３】
本発明の第三の実施例の動作を以下に説明する。
【００５４】
図６を参照すると、レンタルサービス提供者がＯＳ１０３に加えてソフトウエア１０４を予めレンタルコンピュータ１００にインストールした状態で、レンタルコンピュータ１００をレンタルする点で、第一ないしは第二の実施例と異なる。
【００５５】
本実施例の全体の動作は、第一ないしは第二の実施例と同様である。
【００５６】
上記実施例によれば、ＯＳおよびソフトウエアを予めレンタルコンピュータにインストールした状態でレンタルされた場合であっても、各種設定の復元およびデータの復旧等の作業が不要となり、レンタルコンピュータの交換時に、ＯＳ環境の移行に必要な作業を大幅に削減することができる
【００５７】
本発明の第四の実施例の動作を以下に説明する。
【００５８】
図７を参照すると、レンタル情報データベース２１１をデータベースサーバ２１０に設け、また、記憶領域２０１を外部記憶装置２００に設け、それぞれ管理サーバ１１０から独立させ、ネットワーク１２０に接続した点で、第一〜第三の実施例と異なる。
【００５９】
本実施例の全体の動作は、受付プログラム１１１が、レンタル情報２１２を参照する際に、ネットワーク１２０を介する点以外は、第一ないしは第二の実施例と同様である。なお、本実施例において、第二の実施例または第三の実施例と同様に、ＯＳ１０３やソフトウエア１０４をレンタルサービス提供者が予めインストールして提供してもよい。
【００６０】
上記実施例によれば、管理サーバとは別個にデータベースサーバおよび外部記憶装置を設けるため、障害発生時の安定性が確保され、またデータのセキュリティを高めることができる。
【００６１】
なお、上述する実施の形態は、本発明の好適な実施の形態であり、本発明の要旨を逸脱しない範囲内において種々変更実施が可能である。例えば、２つの異なるレンタルコンピュータのＯＳ環境をそっくり互いに入れ替えるために、管理サーバの記憶領域にそれぞれのデータを保持しておいて交換する機構が設けられていてもよい。さらに、上記各実施例における処理動作の全部または一部を情報処理装置により実行させるためのプログラムも本発明に属する。
【産業上の利用可能性】
【００６２】
本発明は、携帯電話のバージョンアップに伴うメモリ情報を移行するシステムにも適用できる。
【図面の簡単な説明】
【００６３】
【図１】本発明の第一の実施形態におけるシステムの構成を示すブロック図である。
【図２】ＯＳ環境の格納／復元処理の動作を示すフローチャートである。
【図３】レンタルコンピュータ交換時の構成を示す図である。
【図４】レンタルコンピュータ交換処理の動作を示すフローチャートである。
【図５】本発明の第二の実施形態におけるシステムの構成を示すブロック図である。
【図６】本発明の第三の実施形態におけるシステムの構成を示すブロック図である。
【図７】レンタルコンピュータ交換時の構成を示す図である。
【図８】エージェントプログラムとレンタル情報についての具体的な構成を示す図である。
【図９】ＯＳ環境の格納／復元処理の詳細な動作を示すフローチャートである。
【符号の説明】
【００６４】
１００ａ、１００ｂ    レンタルコンピュータ
１０１ａ、１０１ｂ    仮想マシンソフト
１０２ａ、１０２ｂ    エージェントプログラム
１０３ａ、１０３ｂ    ＯＳ
１０４ａ、１０４ｂ    ソフトウエア
１０５ａ、１０５ｂ    ＯＳ環境
１１０    管理サーバ
１１１    受付プログラム
１１２    レンタル情報データベース
１１３    記憶領域
１１４    レンタル情報
１１５    ＯＳ情報
１１６    ソフトウエア情報
１１７    ＯＳ環境情報
１２０    ネットワーク
【図１】
2005234884.tif 000003
【図２】
2005234884.tif 000004
【図３】
2005234884.tif 000005
【図４】
2005234884.tif 000006
【図５】
2005234884.tif 000007
【図６】
2005234884.tif 000008
【図７】
2005234884.tif 000009
【図８】
2005234884.tif 000010
【図９】
2005234884.tif 000011